(57)【要約】【課題】  無線データ伝送の確実性と信頼性とを向上させるための補助機能を備えたデータ伝送技術を提供する。【解決手段】  ワイヤレスセンター３の選局部から表示装置５へ、放送データが無線データ伝送によって伝送されている場合に（Ｌ−１）、装置の移動、電波伝送状況の変化などの何らかの原因により無線によるデータ伝送が不良になった場合又は電波妨害が生じた場合に、表示装置５は無線通信技術により携帯電話機１０へその旨を知らせるための信号を送る。この信号を受けると、携帯電話機１０は今までワイヤレスセンター３の選局部が受信していた放送データを受信し、表示装置１０に送信する（Ｌ−３）。ＳＳ無線などのワイヤレスセンター３の選局部−表示装置５間でのデータ伝送が妨害される環境下においても、受信可能状態にある携帯電話機１０により、表示装置５にデータを送信する。【選択図】  図１
2005142961.tif 000002
【特許請求の範囲】
【請求項１】
第１の無線通信手段を備える第１の機器と、
第２の無線通信手段を備える第２の機器と、
第３の無線通信手段と、前記第１の無線通信手段と前記第２の無線通信手段との間の通信状況に応じて前記第１の機器と前記第２の機器との間のデータ伝送補助を行うデータ伝送補助手段と、を有する携帯機器と
を有するデータ伝送システム。
【請求項２】
第１の無線通信手段を備える第１の機器と、
第２の無線通信手段を備える第２の機器と、
第３の無線通信手段と、前記第１の無線通信手段と前記第２の無線通信手段との間の通信状況に応じて前記第１の機器と前記第２の機器との間のデータ伝送補助を行うデータ伝送補助手段と、を有する携帯情報端末と
を有するデータ伝送システム。
【請求項３】
第１の無線通信手段を備える放送データ受信装置と、
第２の無線通信手段を備え前記放送データ受信装置からのデータを受信するデータ受信装置と、
第３の無線通信手段と、前記第１の無線通信手段と前記第２の無線通信手段との間の通信状況に応じて前記放送データ送信装置と前記データ受信装置との間のデータ伝送補助を行うデータ伝送補助手段と、を有する携帯機器と
を有するデータ伝送システム。
【請求項４】
前記放送データ受信装置は、伝送された放送データに基づく表示を行う表示部を有することを特徴とする請求項３に記載のデータ伝送システム。
【請求項５】
前記データ受信装置は、受信した伝送データを媒体に蓄積する蓄積部を有することを特徴とする請求項３に記載のデータ伝送システム。
【請求項６】
前記携帯情報端末は、前記表示部又は前記蓄積部に伝送されるデータに対応するデータを表示可能なモニタ表示部を備えることを特徴とする請求項４又は５に記載のデータ伝送システム。
【請求項７】
さらに、前記第１の無線通信手段と前記第２の無線通信手段との間の無線通信状況を監視する無線通信状況監視部を備えることを特徴とする請求項１から６までのいずれか１項に記載のデータ伝送システム。
【請求項８】
さらに、前記無線通信状況監視部の監視結果に基づいて、前記第１の機器又は前記第２の機器へのデータ伝送元を前記第２の機器又は前記第１の機器から前記携帯機器又は携帯情報端末に切り替える第１の通信経路切り替え手段を有していることを特徴とする請求項１から７までのいずれか１項に記載のデータ伝送システム。
【請求項９】
さらに、前記携帯機器又は前記携帯情報端末に設けられ、
前記携帯機器又は前記携帯情報端末に電源を供給するバッテリーと、
該バッテリーの残容量を監視するバッテリー残容量監視部と、
該バッテリー残容量監視部により監視された前記バッテリーの残容量がある値以下になった場合に、前記第３の無線通信手段を介した通信を前記第１の無線通信手段と前記第２の無線通信手段との間の通信経路を直接通信に切り換える制御を行う第２の通信経路切り換え手段と
を備えることを特徴とする請求項１から８までのずれか１項に記載のデータ伝送システム。
【請求項１０】
さらに、前記第１の機器又は前記第２の機器の少なくともいずれか一方に設けられ、
前記第１の機器又は前記第２の機器に電源を供給するバッテリーと、
該バッテリーの残容量を監視するバッテリー残容量監視部と、
該バッテリー残容量監視部により監視された前記バッテリーの残容量がある値以下になった場合に、前記第１の無線通信手段と前記第２の無線通信手段との間の通信経路を、前記第３の無線通信手段を介した通信経路に切り換える制御を行う第３の通信経路切り換え手段と
を備えることを特徴とする請求項１から８までのずれか１項に記載のデータ伝送システム。
【請求項１１】
第１の無線通信手段を備える第１の機器と第２の無線通信手段を備える第２の機器との間のデータ伝送補助機能を有する携帯機器であって、
第３の無線通信手段と、前記第１の無線通信手段と前記第２の無線通信手段との間の通信状況に応じて前記第１の機器と前記第２の機器とのうちデータ送信側の機器に代わってデータ受信側の機器によりデータ送信を行うデータ伝送補助手段と、を有する携帯機器。
【請求項１２】
第１の無線通信手段を備える第１の機器と第２の無線通信手段を備える第２の機器との間のデータ伝送補助機能を有する携帯機器であって、
第３の無線通信手段と、
前記第１の無線通信手段と前記第２の無線通信手段との間の通信状況に応じて前記携帯機器から前記第１の機器又は前記第２の機器を介して前記第２の機器又は前記第１の機器へのデータ伝送に代わって前記第２の機器又は前記第１の機器への直接伝送に切替える第４の通信経路切替手段と
を有する携帯機器。
【請求項１３】
さらに、前記携帯機器に設けられ、
前記携帯機器に電源を供給するバッテリーと、
該バッテリーの残容量を監視するバッテリー残容量監視部と、
該バッテリー残容量監視部により監視された前記バッテリーの残容量がある値以下になった場合に、前記第３の無線通信手段を介した通信を前記第１の無線通信手段と前記第２の無線通信手段との間の通信経路を直接通信に切り換える制御を行う第５の通信経路切り換え手段と
を備えることを特徴とする請求項１１又は１２に記載の携帯機器。
【請求項１４】
第１の無線通信手段を備え、第２の無線通信手段を備える第２の機器と関連付けされるる第１の機器であって、第３の無線通信手段と前記第１の無線通信手段と前記第２の無線通信手段との間の通信状況に応じて前記第１の機器と前記第２の機器との間のデータ伝送補助を行うデータ伝送補助手段と、を有する携帯機器とも関連付けされる第１の機器。
【発明の詳細な説明】
【技術分野】
【０００１】
本発明は、データ伝送補助システムに関し、特に、放送受信アンテナに接続された選局部（チューナ部）と、選局部と近距離無線によって接続される表示装置（出力装置）との間のデータ伝送を補助するデータ伝送補助システムに関し、特に、携帯情報端末などの携帯機器を用いたデータ伝送補助システムに関する。
【背景技術】
【０００２】
近年、情報処理技術が飛躍的に発展し、さらに、ワイヤレス伝送技術により、選局部や蓄積装置からのデータを再生することができ、かつ、持ち運びが容易なテレビ画像表示装置（モニタ装置）が登場し、例えば、家の中においてどこにでも持ち運び可能になってきている（例えば、非特許文献１参照）。
【０００３】
また、データ伝送速度の急速な伸びと動画を中心としたマルチメディアコンテンツの増加とに伴い、携帯端末を用いた高画質での動画の受信、再生、蓄積の需要が高まってきた。これに伴い、利用者が多くなってきている携帯情報端末に備えられているメモリの記憶容量が比較的小さいという問題を克服するために、携帯情報端末からの蓄積装置へのデータ伝送も考えられている。例えば、携帯情報端末やメール端末等の情報通信装置と、これらの情報通信装置と近距離無線通信によって接続され、情報通信装置で受信したデータを蓄積するデータ蓄積装置とを含むシステムが開示されている（例えば、特許文献１参照）。
【０００４】
【非特許文献１】製品カタログ（シャープ株式会社、液晶カラーテレビ  ＬＣ―１５Ｌ１）、２００３年４月作成
【特許文献１】特開２００２−１８３０５４号公報
【発明の開示】
【発明が解決しようとする課題】
【０００５】
現在、家庭用テレビへの無線伝送手段として、赤外線通信、或いは、上記非特許文献１に記載されている2.4GHzを用いたSS通信などが用いられている。その場合の問題点の１つとして、家庭内使用環境の変化等に起因する受信可能範囲の変化と限界とに関する問題が挙げられる。主として住宅の構造上不可欠である無線電波の送受信における妨害要因の存在により、受信可能範囲が狭められる可能性が高い。ところが、上記特許文献１においても、このような通信妨害要因に関する対策に関しては開示されていない。
【０００６】
本発明の目的は、無線データ伝送の確実性と信頼性とを向上させるための補助機能を備えたデータ伝送技術を提供することにある。さらに、デジタル放送を携帯端末で受信するシーンの増大に伴って生じる種々の新しいデータ伝送技術を提供することを目的とする。
【課題を解決するための手段】
【０００７】
放送受信アンテナに接続された選局部（蓄積装置）、または、携帯情報端末に近距離無線によって接続された表示装置（制御装置）が、選局部（蓄積装置）との通信状態に応じて、選局部（蓄積装置）と接続するか、他の機器、例えば、携帯情報端末等を経由して選局部との接続を行うかの判断と経路の選択とを行う。
【０００８】
本発明の一観点によれば、第１の無線通信手段を備える第１の機器と、第２の無線通信手段を備える第２の機器と、第３の無線通信手段と、前記第１の無線通信手段と前記第２の無線通信手段との間の通信状況に応じて前記第１の機器と前記第２の機器との間のデータ伝送補助を行うデータ伝送補助手段と、を有する携帯機器とを有するデータ伝送システムが提供される。
【０００９】
また、第１の無線通信手段を備える放送データ受信装置と、第２の無線通信手段を備え前記放送データ受信装置からのデータを受信するデータ受信装置と、第３の無線通信手段と、前記第１の無線通信手段と前記第２の無線通信手段との間の通信状況に応じて前記放送データ送信装置と前記データ受信装置との間のデータ伝送補助を行うデータ伝送補助手段と、を有する携帯機器とを有するデータ伝送システムが提供される。
【００１０】
上記データ伝送システムによれば、第１の機器と第２の機器との間におけるデータ伝送状況に応じて携帯機器により第１の機器と第２の機器との間のデータ伝送補助を行うことができるため、データ伝送状況にかかわらずデータ伝送をスムーズに行うことができる。
【００１１】
さらに、携帯機器に設けられている表示部に、伝送された放送データに基づく表示を行わせることにより、データに基づく本来の表示状況をモニタリングすることが可能になる。
【００１２】
さらに、前記携帯機器又は前記携帯情報端末に設けられ、
前記携帯機器又は前記携帯情報端末に電源を供給するバッテリーと、該バッテリーの残容量を監視するバッテリー残容量監視部と、該バッテリー残容量監視部により監視された前記バッテリーの残容量がある値以下になった場合に、前記第３の無線通信手段を介した通信を前記第１の無線通信手段と前記第２の無線通信手段との間の通信経路を直接通信に切り換える制御を行う第２の通信経路切り換え手段とを備えるのが好ましい。バッテリー容量が一定以下になった場合に通信経路を変更することで、例えば携帯電話がバッテリー切れした場合に、伝送路を切り換えられなくなるのを未然に防止することができる。
【発明の効果】
【００１３】
本発明により、屋内アンテナや無線ステーションなどとの間における例えば近距離間の無線接続が困難な位置又は状況など、種々の状況において伝送データの再生、記録等の伝送を伴うデータ処理が可能となる。また、自動的な蓄積経路の選択により、経済的、かつ、効率的なデータの蓄積を実現することができる。
【発明を実施するための最良の形態】
【００１４】
以下、本発明の第１の実施の形態による補助機能を備えたデータ伝送技術（以下、「データ伝送システム（技術）」と総称する。）について図面を参照しつつ説明を行う。図１は、本実施の形態によるデータ伝送システムの概略構成を示すブロック図である。図２、３は、図１に示すデータ伝送システムに含まれる携帯電話の概略構成を示す外観図（図２（Ａ）、（Ｂ））と機能ブロック図（図３）である。図４〜図６までは、図１に示すデータ伝送システムに含まれる情報機器の一例として示す選局部（以下、「チューナ部」と称する。）と、テレビ画像表示装置（以下、「モニタ装置」と称する。）とを含むテレビ受信・再生システムの構成を示す機能ブロック図である。
【００１５】
図１に示すように、本実施の形態によるデータ伝送システムＡは、テレビ受信・再生システム１と携帯端末（携帯電話機）１０とに大別される。
【００１６】
図２は、本実施の形態による携帯端末の外観を示す図であり、図２（Ａ）は背面図、図２（Ｂ）は正面図である。図３は携帯電話機の機能ブロック図である。
【００１７】
図２（Ａ）、（Ｂ）に示すように、本実施の形態による携帯電話機１０は、本体１０ａと、本体１０ａに伸縮自在に取り付けられ他の機器との間において無線通信を行うためのアンテナ１１１と、受信通知などを報知するための拡声用スピーカ１１４と、受信情報、画像やテキスト情報などの情報を表示するＬＣＤ表示部１１５と、電源のＯＮ／ＯＦＦを行う電源キーを兼ねるとともに、着信、発信、電話機能切り替え、動作決定等を行う電話機能キー１１７・１１８と、各種機能を切り替えるためのモード（Ｆ）切替キー１１９と、上下左右の方向に選択対象を移動させるカーソルキー１２０と、電話番号の入力等ダイヤルするためのダイヤルキー１２２と、通話音声を出力する音声出力部１２３と、音声を入力するためのマイク１２４と、を備えている。
【００１８】
さらに、本体１０ａ背面に内蔵されるカメラ１１２と、暗い場所などにおいてユーザ操作等により発光する小型のライト１１３と、カメラ１１２の入力を決定するシャッターボタンであるシャッターキー１２１と、を有していても良いし、内蔵メモリ容量の不足を補助するためのメモリカードを挿入することができるメモリカードスロット（図示せず）などを備えていても良い。
【００１９】
図３に示すように、本実施の形態による携帯電話機１０は、装置全体を制御するＣＰＵ（制御部）２３１と、制御プログラムや固定データ等を記憶するＲＯＭ、ＣＰＵの作業用記憶領域であるＲＡＭ等の半導体メモリ及びハードディスクなどからなり受信又は入力された文字情報、画像情報、音声信号を記憶する記憶メモリ２３２と、文字情報や画像情報をユーザに表示する表示部１１５と、ユーザからのキー操作を受け付けるキー入力部１２２と、電波を送受信するアンテナ１１１と、無線通信の送受信を制御する無線部２３８と、音声信号を出力するスピーカ１１４と、ユーザから音声信号を入力するマイク１２４と、バッテリー１２５と、バッテリー残容量監視部１２６及び通信路（伝送路）切り換え手段１２７（制御部２３１内に設けられている例を示す）を備えて構成される。さらに、対象となる画像情報を入力するカメラ１１２と、撮像時等にユーザ操作により発光するライト１１３などを有していても良い。尚、携帯電話機１０には、赤外線ポート、ブルートゥースなどを含めた伝送方法を用いても良い。
【００２０】
制御部２３１は、携帯電話機１０全体の制御を行うとともに、無線通信により送られる例えばテレビ放送の映像及び音声データを受信し、受信した映像及び音声データの信号処理を行い、処理後のデータを他の機器例えば表示装置に送る機能を有している。さらに、機器間の無線伝送状態（伝送状態を検出する場合又は機器からの命令に応じて）或いはユーザの入力操作に応じて、無線通信の対象を自己（携帯電話機）又は他の機器に切り替える処理を行う。
【００２１】
次に、図４〜図６までを参照しつつ、図１に示すデータ伝送システムに含まれる情報機器の一例として示すチューナ部と、モニタ装置とを含むテレビ受信・再生システムの構成について説明する。
【００２２】
図４は本実施の形態によるテレビ受信・再生システムの構成例を示す図である。図５は、本実施の形態によるテレビ受信・再生システムにおけるチューナ側（ワイヤレスセンター側）装置の構成例を示す機能ブロック図である。図６は、本実施の形態によるテレビ受信・再生システムにおけるモニタ側（ＴＶ側）装置の構成例を示す機能ブロック図である。
【００２３】
図４に示すように、本実施の形態によるテレビ受信・再生システム１は、チューナを備えたチューナ側のワイヤレスセンター３と、例えばバッテリー内蔵の液晶モニタ付きＴＶ５とを含んで構成されている。さらに、ワイヤレスセンター３は、ビデオ１入力（Ｓ端子付き）端子７ａと、ビデオ２入力（デコーダ入力）端子７ｂと、ビデオ３入力（モニタ／ＢＳ出力）端子７ｃと、ＡＣ電源端子１１ａ及びＣａｒ−ＤＣ端子１１ｂと、ＢＳアンテナ１５ａ、ＵＨＦ／ＶＨＦアンテナ１５ｂと、ダイバーシティーアンテナ１５ｃとを有している。一方、液晶モニタ付きＴＶ５は、ビデオ４入力（ＴＶ出力）端子２１と、ＡＣ電源端子２３ａ及びＣａｒ−ＤＣ端子２３ｂと、を有している。
【００２４】
ワイヤレスセンター３と液晶モニタ付きＴＶ５とは、例えばＩＥＥＥ８０２.１１ｂ規格に基づくＳＳ無線により関連付けがなされている。ワイヤレスセンター３から液晶モニタ付きＴＶ５に向けて、ＳＳ無線によりテレビ放送に対応するＭＰＥＧ２ストリーム情報が送られるとともに、その他のコマンドデータなどがワイヤレスセンター３と液晶モニタ付きＴＶ５間で双方向通信により伝送される。
【００２５】
次に、チューナ側（ワイヤレスセンター側）装置の詳細な構成例について図５を参照して説明する。尚、図４において既に説明した構成要素については説明を省略する。図５に示すように、ワイヤレスセンター３は、全体を制御するワイヤレスセンターマイコン４１と、第１ＡＶセレクタ４３と、無線送信ユニット４５と、を有している。ビデオ入力１から３まで（外部入力）７ａから７ｃは、ＡＶセレクタ４３と関連付けされている。
【００２６】
さらに、ワイヤレスセンター３は、ＢＳアンテナ１５ａに接続されるＢＳチューナ３３と、ＵＨＦ／ＶＨＦアンテナ１５ｂに接続されるＵ／Ｖチューナ３１と、を有しており、第１記憶部（ＥＥＰＲＯＭ）４７と関連付けされたワイヤレスセンターマイコン４１により選局コマンド３１ａに基づいて選局処理が行われる。選局処理３１ａが行われた後の信号は、映像・音声復調器３５に入力されて復調され、音声切換部３７においてワイヤレスセンターマイコン４１からの音声切換コマンド３７ａに基づいて音声切換処理が行われる。映像信号と音声切換処理が行われた後の音声信号とは、第１ＡＶセレクタ４３に入力される。ここで、ワイヤレスセンターマイコン４１からの音声切換コマンド４３ａに基づいてソース選択処理が行われ、信号は、スペクトラム拡散（ＳＳ）送信ユニット４５に入力する。
【００２７】
スペクトラム拡散（ＳＳ）送信ユニット４５は、Ａ／Ｄ変換器５１と、ＭＰＥＧ２エンコーダ５３と、第１のＳＳ無線送信エンジン５５と、これらを制御する第１のＳＳ―ＣＰＵ５７とを有している。ソース選択処理４３ａが行われた映像・音声信号は、Ａ／Ｄ変換器５１によりＡ／Ｄ変換され、例えばＭＰＥＧ２エンコーダ５３によりＭＰＥＧ２形式にエンコードされ、ワイヤレスセンターマイコン４１からのＴＶコマンド送受信コマンド５７ａに基づいてＭＰＥＧ２形式にエンコードされたデータを例えばバッテリー内蔵の液晶モニタ付きＴＶ５側に送るとともに、種々のコマンド（データ）をバッテリー内蔵の液晶モニタ付きＴＶ５との間で双方向に通信する。
【００２８】
図６に示すように、液晶モニタ付きＴＶ５は、第２記憶部（ＥＥＰＲＯＭ）７３が関連付けされているＴＶマイコン６５と、ＳＳ受信ユニット６１と、第２ＡＶセレクタ６７と、ＴＶモニタ（液晶ディスプレイ）７１と、リモートコントロール装置（図７）の入力を受け付けるリモコン受光部７５と、を有している。ＳＳ受信ユニット６１は、第２のＳＳ無線受信エンジン７７と、ＭＰＥＧ２デコーダ８１と、Ｄ／Ａ変換器８３と、これらを制御する第２のＳＳ―ＣＰＵ８５とを有している。さらに、液晶モニタ付きＴＶ５は、バッテリー駆動に対応しており、それに応じてバッテリー８７ｂとバッテリーチャージャーマイコン８７ａとを有している。
【００２９】
ワイヤレスセンター３側から送られＭＰＥＧ２形式にエンコードされているストリーミング情報は、ＴＶマイコン６５からのＴＶ送受信コマンド８５ａを受けたＳＳ―ＣＰＵ８５の指示により、ＳＳ受信ユニット６１内の第２のＳＳ無線送受信エンジンにおいて受信され、ＭＰＥＧ２デコーダ８１においてデコードされ、Ｄ／Ａ変換器８３においてＤ／Ａ変換される。Ｄ／Ａ変換器されたストリーミング情報は、第２のＡＶセレクタ６７に送られ、外部入力（４）２１からの外部入力信号とのいずれを選択するかをＴＶマイコン６５からのソース選択コマンド６７ａに基づいて選択し、例えば、ＴＶマイコンからのＯＳＤ出力コマンドに基づいて任意のＯＳＤ処理が行われた後に、液晶モニタ７１に送られ、液晶モニタ７１に映像・音声ストリーミング情報に基づく表示が行われる。
【００３０】
上記テレビ受信・再生システムにおいて、図１に示すように、ワイヤレスセンター３の選局部から表示装置５へ、放送データが無線データ伝送によって伝送されている場合に（Ｌ−１）、装置の移動、電波伝送状況の変化などの何らかの原因により無線によるデータ伝送が不良になった場合又は電波妨害が生じた場合に、表示装置５は無線通信技術により携帯電話機１０へその旨を知らせるための信号を送る（Ｌ−２）。この信号を受けることにより、携帯電話機１０は今までワイヤレスセンター３の選局部が受信していた放送データを受信し、表示装置５に送信する（Ｌ−３）。これにより、ＳＳ無線などのワイヤレスセンター３の選局部−表示装置５間でのデータ伝送が妨害される環境下においても、受信可能状態にある携帯電話機１０により、表示装置５にデータを送信することにより、表示装置５は、今までと変わらずに放送データを受信し、表示することができる。携帯電話機によっても十分な映像が得られない場合には、ワイヤレスセンター３に比べて携帯性に優れた携帯電話機１０の位置を変更する動作などを行うことも可能である。
【００３１】
尚、無線によるデータ伝送が不良になった場合又は電波妨害が生じた旨を、表示装置５から携帯電話機１０に伝える場合について説明したが、ワイヤレスセンター３の選局部がその旨を携帯電話機１０に伝えるようにしても良い。また、携帯電話機１０が、上記テレビ受信・再生システムのリモートコントロール装置を兼ねていても良い。また、携帯電話機１０の表示画面１１５に表示装置５の表示を反映させた映像を表示することができるようにしても良い。
【００３２】
さらに、ワイヤレスセンター３の選局部から表示装置５への放送データの無線データ伝送が可能になった場合には、再びＬ−１の経路によりデータを伝送することができる。音声データと映像データのうち一方のみが伝送不可になった場合に、伝送不良の方のデータのみを携帯電話機により受信し、他方は今まで通りにデータ伝送を行っても良い。
【００３３】
次に、図７を参照しつつ、上記処理の流れの概要を説明する。図７に示すように、ステップＳ１において処理を開始し、選局部と表示装置との間においてデータを伝送するとともに、伝送されているデータを表示装置に表示させる（ステップＳ２）。次に、ステップＳ３において、選局部と表示装置との間におけるデータ伝送状況が良好か否かを監視し、その結果、良好であればステップＳ２に戻り伝送されているデータの表示装置への表示を継続する。選局部と表示装置との間におけるデータ伝送状況が良くなければ、ステップＳ４に進み、携帯電話機に対してデータ伝送状況の不良を通知する。次いで、ステップＳ５に進み、表示装置へのデータ伝送元を選局部から携帯電話機に切り替える。ステップＳ６において、携帯電話機と表示装置との間でデータを伝送することにより、表示装置にデータを表示させる。この際、表示装置の表示に対応する表示を携帯電話機のＬＣＤ表示部に行うことにより、正常に表示がなされているか否かを確認することも可能である。
【００３４】
次に、ステップＳ７において、選局部と表示装置との間のデータ伝送状況を確認し、データ伝送状況が回復したか否かを判定する。データ伝送状況が回復していれば、ステップＳ８においてデータ伝送路をスタート時点に戻しステップＳ２に戻る。データ伝送状況が回復していなければ、ステップＳ６に戻り、携帯電話機と表示装置との間でデータ伝送を継続する。以上の処理により、表示装置に対して、良好なデータ伝送に基づく表示を行わせることができる。
【００３５】
尚、携帯電話機内のバッテリーの残容量がバッテリー残容量監視部によりある値以下に成ったことが検出されると、通信路（伝送路）切り換え手段１２７は、通信経路（伝送経路）を表示装置と選局部との間の直接通信に切り換えるように制御する動作を試みる。これにより、携帯電話のバッテリーが完全になくなる前に、伝送路を表示装置と選局部との間にしておき、通信を確保することができる。
【００３６】
次に、本実施の形態の変形例によるデータ伝送補助機能を備えたデータ伝送システムについて図８を参照しつつ説明する。本変形例によるシステムは、基本的には本発明の第１の実施の形態によるシステムと同様の構成を有しているが、ワイヤレスセンター３の選局部と表示装置５との間に携帯電話機１０が介在する点において異なる。すなわち、ワイヤレスセンター３の選局部と表示装置５との間における無線伝送状態（Ｌ−１１）が悪化した場合に、携帯電話機１０を途中に介在させることにより（Ｌ−１２、Ｌ−１３）、あたかも中継局のような機能を発揮する。これにより、中継局が存在しない場合に比べて、ワイヤレスセンター３の選局部と表示装置５との間における無線伝送状態を改善することができる。
【００３７】
以上において説明したように、本実施の形態によるデータ伝送補助機能を備えたデータ伝送システムによれば、データ受信時において、送信側と受信側との間の無線電波の伝送状態が悪くなった場合に、携帯電話機により補助的に無線伝送の状況を向上させることができる。また、携帯電話機は位置を変更することが簡単であるため、これを移動させつつ例えば携帯電話機の表示部に表示されたモニタ画像を見ることにより、適切な中継箇所を探すことも可能である。この場合も携帯電話機のバッテリー残量状況に応じて、伝送路を切り換える制御を行っても良い。
【００３８】
次に、図９、図１０を参照しつつ、本発明の第２の実施の形態によるデータ伝送システムについて説明する。図９、図１０に示すように、ステップＳ１１において処理を開始し、携帯電話機１０から表示装置５を介して蓄積装置（選局部）３ａへデータを伝送するとともに（Ｌ―２１、Ｌ−２２）、伝送されているデータを蓄積装置３ａに記憶する（ステップＳ１２）。次に、ステップＳ１３において、蓄積装置３ａと表示装置５との間におけるデータ伝送状況が良好か否かを監視し、その結果、良好であればステップＳ１２に戻り伝送されているデータの表示装置５への表示を継続する。蓄積装置３ａと表示装置５との間におけるデータ伝送状況が良くなければ、ステップＳ１４に進み、携帯電話機１０に対してデータ伝送状況の不良を通知する。次いで、ステップＳ１５に進み、蓄積装置３ａへのデータ伝送を携帯電話機１０からの直接伝送（Ｌ−２３）に切り替える。ステップＳ１６において、携帯電話機１０と蓄積装置３ａとの間でデータを伝送することにより、蓄積装置３ａにデータを記憶させることができる。この際、蓄積装置３ａへの蓄積データに対応するデータ表示を携帯電話機１０のＬＣＤ表示部に表示させることにより、蓄積装置３ａに正常にデータが蓄積されているか否かを確認することも可能である。
【００３９】
次に、ステップＳ１７において、表示部５と蓄積装置３ａとの間のデータ伝送状況を確認し、データ伝送状況が回復したか否かを判定する。データ伝送状況が回復していれば、ステップＳ１８においてデータ伝送路をスタート時点に戻しステップＳ１２に戻る。データ伝送状況が回復していなければ、ステップＳ１６に戻り、携帯電話機１０と蓄積装置３ａとの間でデータ伝送を継続する。以上の処理により、蓄積装置３ａに対して、良好なデータ伝送に基づく蓄積を行わせることができる。尚、この場合も携帯電話機のバッテリー残量状況に応じて、伝送路を切り換える制御を行っても良い。
【産業上の利用可能性】
【００４０】
本発明による補助機能を備えたデータ伝送システムは、無線通信機器同士のデータ伝送に主として用いられるが、その他、一部に有線接続された機器を含んでいても良い。ワイヤレスＡＶ機器における通信圏外対策又は応急的に接続する場合にも応用可能である。
【図面の簡単な説明】
【００４１】
【図１】本発明の第１の実施の形態によるデータ伝送システムの概略構成を示すブロック図である。
【図２】図１に示すデータ伝送システムに含まれる携帯電話の概略構成を示す外観図（図２（Ａ）、（Ｂ））である。
【図３】図１に示すデータ伝送システムに含まれる携帯電話の機能ブロック図である。
【図４】図１に示すデータ伝送システムに含まれる情報機器の一例として示す選局部（以下、「チューナ部」と称する。）の構成を示す機能ブロック図である。
【図５】図４に示すテレビ受信・再生システムに含まれる選局部の構成を示す機能ブロック図である。
【図６】図４に示すデータ伝送システムに含まれる情報機器の一例として示すテレビ画像表示装置の構成を示す機能ブロック図である。
【図７】本発明の第１の実施の形態によるデータ伝送システムにおける処理の流れを示すフローチャート図である。
【図８】本発明の第１の実施の形態の変形例によるデータ伝送システムの概略構成を示すブロック図である。
【図９】本発明の第２の実施の形態によるデータ伝送システムの概略構成を示すブロック図である。
【図１０】本発明の第２の実施の形態によるデータ伝送システムにおける処理の流れを示すフローチャート図である。
【符号の説明】
【００４２】
Ａ…データ伝送システム、１…テレビ受信・再生システム、３…チューナ側のワイヤレスセンター、５…液晶モニタ付きＴＶ、１０…携帯端末（携帯電話機）、４５…スペクトラム拡散（ＳＳ）送信ユニット、６１…ＳＳ受信ユニット、１１２…カメラ、１１５…ＬＣＤ表示部、１１７、１１８…電話機能キー、１２５…バッテリー、１２６…バッテリー残容量監視部、１２７…通信路（伝送路）切り換え手段。
【図１】
2005142961.tif 000003
【図２】
2005142961.tif 000004
【図３】
2005142961.tif 000005
【図４】
2005142961.tif 000006
【図５】
2005142961.tif 000007
【図６】
2005142961.tif 000008
【図７】
2005142961.tif 000009
【図８】
2005142961.tif 000010
【図９】
2005142961.tif 000011
【図１０】
2005142961.tif 000012